【事件の表示】
　平成　４年特許願第３４５０２４号「データ処理装置」拒絶査定に対する審判事件［平成　６年　７月１５日出願公開、特開平　６−１９５３５３］について、次のとおり審決する。
【結　論】
　本件審判の請求は、成り立たない。
【理　由】
１．本願発明
　本件審判請求に係る出願は、平成４年１２月２５日の出願であって、その請求項２に係る発明は、平成１３年２月２２日付け手続補正書でした手続補正によって補正された明細書と図面の記載からみて、特許請求の範囲の記載の請求項２に記載された次のとおりのものである（以下「本願発明」という。）。
　
「デノミ前の金額情報を出力するデータ処理装置において、時間データと金額データとから構成されるデータを記憶した記憶部と、前記記憶部の時間データと時間テーブルに格納されたデノミ実施日とを比較する手段と、前記比較の結果、前記時間データがデノミ実施日より後である場合、予め決められたデノミ率に従って、前記記憶部の該当する金額データをデノミ演算する手段と、を備えたことを特徴とするデータ処理装置。」
　
２．引用例記載の発明
　
（引用例１）
　原査定の拒絶の理由において引用された、本願の出願前に国内において頒布された刊行物である特開昭５４−１５０９４４号公報（以下、「引用例１」という。）には、図面と共に次の事項が記載されている。
　
「第２図において２１はＣＰＵ（演算処理装置）で、このＣＰＵ２１にはメモリ回路２２及び時計回路２３が・・・データバスＤＢ・・・を介して接続されている。上記メモリ回路２２及び時計回路２３はそれぞれ集積回路によって構成されており、ＣＰＵ２１・・・によって読出しあるいは書込みの指定が行われる。また、ＣＰＵ２１にはデータバスＤＢ・・・を介してＩ／Ｏポート２４が接続される。・・・上記Ｉ／Ｏポート２４にはキー入力部２５、表示部２６、印字部２７が接続される。上記キー入力部２５は、キー操作を行った場合・・・キー入力信号ＫＪをＩ／Ｏポート２４内の入力用バッファ（図示せず）へ入力する。」（公報第２頁右上欄第８〜左下欄第９行）
「第３図はＣＰＵ２１の詳細を示す回路ブロック図で・・・該制御部３１からは、後述する演算用メモリであるＲＡＭ３２の非演算数を記憶しているレジスタ・・・を指定する・・・信号が・・・並列的に出力している。」（同第２頁右下欄第７〜第３頁左上欄第３行）
「上記演算用メモリであるＲＡＭ３２は、例えばＡ，Ｂ，Ｃ，Ｄのレジスタが設けられている。」（同第３頁左下欄第１７〜１９行）
「第８図はこの場合のメモリ回路２２内のＲＡＭの記憶領域を示す。０〜７列の０〜７行には各行毎に部門別売上合計を記憶し、８〜１１列の０〜７行には各行毎に個数が記憶され、１２〜１５列の０〜７行の各行には各行毎にプリセット単価Ｐ１〜Ｐ７が記憶される。更に８行の１２〜１５列には切換時刻ＣＨＴが記憶される。第９図はこの実施例の動作を説明するフローである。金額を置数せずに、部門別キー１２を操作すると第９図・・・に示すように、時計回路２３内のＲＡＭ７２より現在時刻ＣＬＫを読み出し、ＣＰＵ２１のＢレジスタへ入力する。・・・メモリ回路２２内のＲＡＭより切換時刻ＣＨＴを読み出し・・・Ｂレジスタ内の現在時刻ＣＬＫからＣレジスタ内の切換時刻ＣＨＴが減算され、この減算結果によって現在時刻ＣＬＫが切換時刻ＣＨＴに達したか否かを判断する。現在時刻ＣＬＫが切換時刻ＣＨＴに達していれば・・・メモリ回路２２内のＲＡＭより定数ＣＯＮを読み出して・・・Ａレジスタ内のプリセット単価が・・・定数ＣＯＭで示す割引率分だけ値引されて、この値がＡレジスタへ入力される。・・・即ち、操作された部門別キー１２に対応する部門の部門別売上合計がメモリ回路２２内のＲＡＭより読み出され、Ａレジスタ内の単価と加算された後、再びメモリ回路２２内のＲＡＭへ書き込まれる。また上記単価はＩ／Ｏポート２４を介して表示部２６にて表示されると共に印字部２５で印字される。」（同第７頁左下欄第１９行〜第８頁左上欄第２０行）
　
　上記記載によれば、引用例１には、
「プリセット単価と切換時刻ＣＨＴを記憶する記憶手段と、プリセット単価を変更するための割引率ＣＯＮを記憶する定数記憶手段と、現在時刻ＣＬＫを記憶するＢレジスタと、Ｂレジスタ内の現在時刻ＣＬＫが切換時刻ＣＨＴに達したか否かを判断し、現在時刻ＣＬＫが切換時刻ＣＨＴに達していれば、前記記憶手段から読み出したプリセット単価を割引率ＣＯＮで値引きし、該割引率ＣＯＮで値引きしたプリセット単価を表示部に表示すると共に印字部で印字するＣＰＵとを備える電子式登録機」（以下、「引用例１記載の発明」という。）が記載されているものと認められる。
　
３．本願発明と引用例記載の発明との対比
　
　本願発明（前者）と引用例１記載の発明（後者）とを対比する。
　後者の「プリセット単価」は電子式登録機で扱う売上合計に用いるデータであり、前者の「金額データ」は入力伝票や売上伝票に基づいて扱うデータであるから、両者は金額を表すデータとして共通する。
　後者の「現在時刻ＣＬＫ」は、キー操作時に時計回路から読み出す現在時刻のデータであり、前者の「時間データ」は、売上等があった日付を示すデータであるから、両者は時間を表すデータとして共通する。また、後者の「切換時刻ＣＨＴ」、前者の「デノミ実施日」も時間を表すデータの比較対象として用いるデータである点で共通する。
　また、後者の「プリセット単価を割引率ＣＯＮで値引き」と前者の「デノミ率に従ってデノミ演算」は、所定の率で演算処理するという点で共通する。
　そして、後者の「電子式登録機」はＲＡＭ等の記憶手段、時計回路、ＣＰＵ、表示部及び出力部を有しており、値引きしたプリセット単価を表示及び印字する装置であるから、前者の「金額情報を出力するデータ処理装置」に相当し、後者の「記憶手段」、「ＣＰＵ」は、その機能からみてそれぞれ前者の「記憶部及び時間テーブル」、「比較する手段及び演算する手段」に相当する。
　
　よって、両者の一致点、相違点は次のとおりである。
　
［一致点］
「金額情報を出力するデータ処理装置において、金額を表すデータを記憶した記憶部と、時間を表すデータと時間テーブルに格納された比較対象のデータとを比較する手段と、前記比較の結果、前記時間を表すデータが比較対象のデータより後である場合、予め決められた所定の率に従って、前記記憶部の金額を表すデータを演算処理する手段と、を備えたことを特徴とするデータ処理装置」である点。
　
［相違点］
（１）前者は、デノミ前の金額情報を出力するデータ処理装置であり、それに伴い、時間テーブル中の比較対象のデータが「デノミ実施日」とされ、演算処理に使用する所定の率が「デノミ率」であるのに対し、後者は、デノミとは無関係の金額情報を出力するデータ処理装置であり、時間テーブル中の比較対照のデータや演算処理に使用する所定の率も前者とは異なるデータや率である点。
（２）前者は、時間データと金額データとから構成されるデータを記憶部に記憶し、該時間データと共に記憶された金額データをデータ処理の対象としており、該記憶された時間データを時間テーブルに格納された比較対象のデータと比較するように構成されているのに対し、後者は、時間を表すデータとは無関係に記憶された金額を表すデータをデータ処理の対象としており、キー操作時の現在時刻を時間テーブルに格納された比較対象のデータと比較するように構成されている点。
　
４．当審の判断
　
　上記相違点について検討する。
（１）デノミネーションが実施された場合に、デノミネーション実施日の前後の金額を表すデータを統一的に取り扱うという課題は、金額を表すデータを取り扱う場合に当然発生する良く知られた課題である（必要ならば、実願昭５３−１１４７４８号（実開昭５５−３１６５３号）のマイクロフィルム参照）。
　そして、上記の金額を表すデータの統一的な取り扱いを金額情報を出力するデータ処理装置上で実現することも当然発生する良く知られた課題である。
　そして、上記の当然発生する良く知られた課題を解決するために、後者の技術手段を利用して、デノミ前の金額情報を出力するデータ処理装置を実現すること、すなわち、後者において、時間テーブル中の比較対照のデータをデノミ実施日とし、演算処理に使用する所定の率をデノミ率とすることは、当業者が容易になし得たことと認める。
　
（２）上記のデノミネーションが実施された場合に、デノミネーション実施日の前後の金額を表すデータを統一的に取り扱うという課題は、新たに入力される金額を表すデータに対してのみならず、過去に入力され日付と共に記録されているデータに対しても存在することは当然である（この点は、上記実願昭５３−１１４７４８号（実開昭５５−３１６５３号）のマイクロフィルムからも推認される。）。
　したがって、そのような課題を解決するために、時間データと金額データとから構成されるデータを記憶部に記憶するようにし、該時間データと共に記憶された金額データをデータ処理の対象とすることは、当業者が容易に推考し得たことである。そして、そのようなデータをデータ処理の対象とする場合に、記憶された時間データを時間テーブルに格納された比較対象のデータと比較するようにする必要があることは自明のことである。
　
　そして、前者の効果は、後者及び周知の事項の効果から予測できる程度のものであり、格別のものとは認められない。
　
５．むすび
　
　したがって、本願発明は、引用例１記載の発明及び周知の事項に基づいて、当業者が容易に発明をすることができたものであるから、特許法第２９条第２項の規定により特許を受けることができない。
　
　よって結論のとおり決定する。